(57)【特許請求の範囲】
【請求項１】
放送信号を受信する放送受信手段と、
前記放送受信部で地域毎に受信可能な一般放送チャネル情報を予め地域毎に格納した一般放送チャネル記憶手段と、
現在位置を検出する位置検出手段と、
前記放送受信手段でチャネルスキャンを行って受信された受信可能チャネルと、前記一般放送チャネル記憶手段から読み出される前記位置検出手段で検出された現在位置に対応する地域の一般放送チャネル情報とを比較して一致するか否かを判別する一致判別手段と、
前記一般放送チャネル情報と不一致の受信可能チャネルを局所放送チャネルとし、前記一般放送チャネル情報と一致した受信可能チャネルと分離して表示する分離表示手段と、
を有することを特徴とする放送受信機。
【請求項２】
請求項１記載の放送受信機において、
前記一般放送チャネル情報と不一致の受信可能チャネルの情報を局所放送チャネル情報として記憶する局所放送チャネル記憶手段を
有することを特徴とする放送受信機。
【請求項３】
請求項１又は２記載の放送受信機において、
前記位置検出手段は、移動通信システムの無線基地局と接続して現在位置情報を取得する移動機送受信手段である
ことを特徴とする放送受信機。
【請求項４】
請求項１又は２記載の放送受信機において、
前記位置検出手段は、グローバルポジショニングシステム衛星からの信号を受信して現在位置情報を取得するグローバルポジショニングシステム受信手段である
ことを特徴とする放送受信機。
【請求項５】
放送信号を受信する放送受信手段で放送信号のチャネルスキャンを行って受信可能チャネルを得、
位置検出手段で現在位置を検出し、
受信可能な一般放送チャネル情報を予め地域毎に格納した一般放送チャネル記憶手段から、前記位置検出手段で検出された現在位置に対応する地域の一般放送チャネル情報を読み出し、
前記チャネルスキャンで得られた前記受信可能チャネルと、読み出された前記一般放送チャネル情報と比較して一致するか否かを判別し、
前記一般放送チャネル情報と不一致の受信可能チャネルを局所放送チャネルとし、前記一般放送チャネル情報と一致した受信可能チャネルと分離して表示する
ことを特徴とするチャネルリスト表示方法。
【発明の詳細な説明】
【技術分野】
【０００１】
本発明は、放送受信機及びチャネルリスト表示方法に関する。
【背景技術】
【０００２】
近年、スーパーマーケットや遊園地や役所などの非常に限られたエリアにいる利用者を対象として、スーパーマーケットの商品説明や特売情報、あるいは、遊園地などのアトラクションや稼動情報、あるいは、役所での各種手続きや窓口情報などの局所放送を特定省電力レベルで行うことが試みられている。
【０００３】
局所放送は、例えばＵＨＦ帯域を用いた地上デジタルテレビジョン放送の携帯情報端末のような小さな画面に向けたワンセグ（１セグ）放送で行われる。この場合の局所放送チャネルは、その場所において一般放送チャネルが使用していない空きチャネルを用いる。局所放送は、特定小電力を用いて開局の免許を必要としないため、局所エリアに対する放送の用途に手軽に導入できる。
【０００４】
また、局所放送は極めて狭い範囲を対象とすることから、利用者は局所エリアに限定されるものの、有益度の高い情報を得ることができる。
【０００５】
従来の放送受信機は、チャネルスキャンを行って、その場所で受信可能な放送波を検出し、検出した全てのチャネルをチャネルリストとして表示している。
【０００６】
図１に、従来のチャネルリスト表示の一例を示す。同図中、チャネルリストの１番目の項目は東京都の一般放送のフォルダを示し、２番目の項目はさいたまの一般放送のフォルダを示し、３番目の項目は２００７年２月１０日１３時３５分２０秒に取り込んだ局所放送のフォルダを示している。
【０００７】
図１では、チャネルリストの１番目の項目と５番目の項目にチェックがなされており、チャネルスキャンの結果、放送受信機の現在位置では東京都の一般放送を受信可能であることを示している。なお、上記チャネルリストでは階層構造とされており、１番目の項目を選択すると、東京都の一般放送である「ＮＨＫ総合テレビ」、「ＮＨＫ教育テレビ」等の複数のテレビ放送チャネルを表示する。
【０００８】
また、デジタル放送受信機で、受信可能な全てのチャネルを選局して、検出したそれぞれのデジタル放送信号に付加されている地域識別情報と受信レベルとに基づき、デジタル放送受信機が位置する放送地域を特定し、特定した放送地域に対応する放送地域情報を記憶する技術が開発されている（特許文献１参照）。
【特許文献１】特開２００６−２７９５９３号公報
【発明の開示】
【発明が解決しようとする課題】
【０００９】
局所放送は、狭い局所エリアに存在する視聴者に対して、限定的ではあるが効果的な情報を提供することができる。このため、利用者は任意の場所で局所放送を受信できる場合には、局所放送を一般放送と区別した方が便利である。また、利用者は局所放送で受信できる情報がどのようなものであるかを認識しており、その情報を利用したいという意識が明確である。
【００１０】
しかるに、従来の放送受信機では、一般放送と局所放送が混在した状態でチャネルリストとして表示されている。このため、利用者は一般放送と局所放送を一目で区別するのが困難であるという問題があった。
【００１１】
開示の放送受信機は、一般放送と局所放送を簡単に区別できる方法を提供することを目的とする。
【課題を解決するための手段】
【００１２】
開示の一実施態様による放送受信機は、放送信号を受信する放送受信手段と、
前記放送受信部で地域毎に受信可能な一般放送チャネル情報を予め地域毎に格納した一般放送チャネル記憶手段と、
現在位置を検出する位置検出手段と、
前記放送受信手段でチャネルスキャンを行って受信された受信可能チャネルと、前記一般放送チャネル記憶手段から読み出される前記位置検出手段で検出された現在位置に対応する地域の一般放送チャネル情報とを比較して一致するか否かを判別する一致判別手段と、
前記一般放送チャネル情報と不一致の受信可能チャネルを局所放送チャネルとし、前記一般放送チャネル情報と一致した受信可能チャネルと分離して表示する分離表示手段と、を有する。
【００１３】
好ましくは、前記一般放送チャネル情報と不一致の受信可能チャネルの情報を局所放送チャネル情報として記憶する局所放送チャネル記憶手段を有する。
【００１４】
開示の一実施態様によるチャネルリスト表示方法は、放送信号を受信する放送受信手段で放送信号のチャネルスキャンを行って受信可能チャネルを得、
位置検出手段で現在位置を検出し、
受信可能な一般放送チャネル情報を予め地域毎に格納した一般放送チャネル記憶手段から、前記位置検出手段で検出された現在位置に対応する地域の一般放送チャネル情報を読み出し、
前記チャネルスキャンで得られた前記受信可能チャネルと、読み出された前記一般放送チャネル情報と比較して一致するか否かを判別し、
前記一般放送チャネル情報と不一致の受信可能チャネルを局所放送チャネルとし、前記一般放送チャネル情報と一致した受信可能チャネルと分離して表示する。
【発明の効果】
【００１５】
開示の放送受信機によれば、一般放送と局所放送を簡単に区別できる。
【発明を実施するための最良の形態】
【００１６】
以下、図面に基づいて実施形態について説明する。
【００１７】
＜放送受信機の構成＞
図２は、放送受信機の一実施形態のブロック構成例を示す。この放送受信機は移動通信システムの移動機としての機能も有しているが、移動機としての機能は必須の機能ではない。
【００１８】
図２において、放送受信機は、放送受信部１１と、移動機送受信部１２と、制御部１３と、メモリ部１４と、表示及び出力部１５と、操作及び入力部１６を具備している。更に、破線で示すＧＰＳ（Ｇｌｏｂａｌ  Ｐｏｓｉｔｉｏｎｉｎｇ  Ｓｙｓｔｅｍ）受信部１７を具備してもよい。
【００１９】
放送受信部１１は、例えば地上デジタルテレビジョン放送（ワンセグ放送を含む）、又はＦＭ放送、又はＡＭ放送を受信するものであり、制御部１３からの制御に応じてチャネルスキャン又は選局動作を行って、受信データを制御部１３に供給する。
【００２０】
移動機送受信部１２は、移動通信システムの無線基地局と無線接続して通信事業者のネットワークとの間で情報の送受信を行うものであり、制御部１３から制御されており、制御部１３からの送信データを送信し、また、ネットワークからの受信データを制御部１３に供給する。
【００２１】
制御部１３は、例えばＲＡＭ，ＲＯＭを内蔵し、ＲＯＭに格納されたプログラムを実行するＣＰＵで構成されており、ＲＡＭは作業領域として使用される。制御部１３は放送受信部１１又は移動機送受信部１２から供給される受信データから映像及び音声を復号して表示及び出力部１５に供給する。また、制御部１３は送信データを作成して移動機送受信部１２に供給する。
【００２２】
メモリ部１４は、不揮発性のメモリであり、チャネルリストが登録される。チャネルリストは一般放送チャネルリスト領域と局所放送チャネルリスト領域に分離されている。一般放送チャネルリスト領域には、例えば東京都、さいたま、神奈川、宇都宮、仙台、千葉等の地域毎に、その地域で視聴可能な一般放送のチャネル情報が予め登録されている。
【００２３】
また、局所放送チャネルリスト領域には、チャネルスキャンで得られた局所放送のチャネル情報が自動的に登録される。
【００２４】
なお、チャネル情報としては、一般放送の場合は各放送の放送局名（受信データに含まれる）とチャネル番号と物理チャネルが登録され、局所放送の場合に放送局名が受信データに含まれていないときは、放送局名の代りに例えば登録日時が登録される。この後、上記登録日時を例えば「特売」、「公共料金」等の利用者が分りやすいチャネル情報に手動で置き換えることができることは勿論である。
【００２５】
表示及び出力部１５は、制御部１３から画像信号を供給されて画像表示を行い、また、制御部１３からの音声信号を供給されて音声出力を行う。
【００２６】
操作及び入力部１６は、テンキーを含む各種操作キーと音声入力機能（マイクロホン）を有しており、各種操作キーで入力された操作信号と音声入力機能で入力された音声信号を制御部１３に供給する。
【００２７】
なお、ＧＰＳ受信部１７は複数のＧＰＳ衛星からの信号を受信して例えば緯度経度情報又は地区情報などの現在位置情報を得て、制御部１３に供給する。
【００２８】
＜放送受信機の処理フローチャート＞
図３は、放送受信機が実行するチャネルスキャン処理の一実施形態のフローチャートを示す。この処理は、利用者が操作及び入力部１６のチャネルスキャンキーを操作したとき開始される。
【００２９】
同図中、ステップＳ１で放送受信部１１は制御部１３からの制御により放送波スキャンを行う。すなわち、地上デジタルテレビジョン放送ではＵＨＦ帯域の１３チャネル〜６２チャネルを順次スキャンし、ＦＭ放送では周波数７６ＭＨｚ〜１０８ＭＨｚを順次スキャンし、ＡＭ放送では周波数７６ＭＨｚ〜１０８ＭＨｚを順次スキャンし、ＡＭ放送では周波数５４０ｋＨｚ〜１７００ｋＨｚを順次スキャンする。そして、例えば受信電界強度が所定の基準値以上であるチャネルを受信可能チャネルとするスキャン結果を制御部１３に供給する。このスキャン結果は制御部１３の内部ＲＡＭに格納される。
【００３０】
ステップＳ２で制御部１３は移動機送受信部１２に通信事業者のネットワークの無線基地局と接続させ、無線基地局情報に基づくエリア情報提供サービスを用いて、現在位置のエリア情報を取得する。
【００３１】
なお、ステップＳ２では移動機送受信部１２にて現在位置のエリア情報を取得する代りに、ＧＰＳ受信部１７で現在位置情報を取得してもよい。
【００３２】
ステップＳ３で制御部１３は取得した現在位置のエリア情報（又は現在位置情報）を用いてメモリ部１４の一般放送チャネルリスト領域から現在位置で受信可能な一般放送チャネル情報を読み出し、得られた全ての一般放送チャネル情報を制御部１３の内部ＲＡＭに格納する。
【００３３】
次に、ステップＳ４で制御部１３は内部ＲＡＭに格納されているスキャン結果の受信可能チャネルと、メモリ部１４の一般放送チャネルリスト領域から読み出した、現在位置のエリア情報（ステップＳ２で取得）に対応する地域で受信可能な一般放送チャネル情報とをチャネル毎に比較して、上記スキャン結果の受信可能チャネルが上記一般放送チャネル情報と周波数が一致するか否かを判別する。
【００３４】
ステップＳ４の判別により、上記スキャン結果の受信可能チャネルのうち、上記現在位置に対応する地域の一般放送チャネル情報と不一致のチャネルは、制御部１３の制御によりメモリ部１４の局所放送チャネルリスト領域に局所放送チャネル情報として登録すると共に、表示及び出力部１５を用いて局所放送チャネルリストとして表示する（ステップＳ５）。
【００３５】
一方、ステップＳ４の判別により、上記スキャン結果の受信可能チャネルのうち、上記現在位置に対応する地域の一般放送チャネル情報と一致するチャネルは、制御部１３の制御により表示及び出力部１５を用いて一般放送チャネルリストとして表示する（ステップＳ６）。
【００３６】
＜チャネルリスト表示＞
図４に、チャネルリスト表示の第１実施形態を示す。同図中、チャネルリスト２０は、一般放送チャネルリスト２１と局所放送チャネルリスト２２に分けられている。なお、図４では一般放送チャネルリスト２１を「チャネルリスト」と表題を付け、局所放送チャネルリスト２２を「ローカルチャネル」と表題を付けている。
【００３７】
一般放送チャネルリスト２１の１番目の項目は東京都の一般放送のフォルダを示し、２番目の項目はさいたまの一般放送のフォルダを示し、以下、神奈川、宇都宮、仙台、千葉それぞれの一般放送のフォルダを示している。
【００３８】
局所放送チャネルリスト２２の１番目の項目は２００７年２月０５日１５時１３分１０秒に取り込んだ局所放送のフォルダを示し、２番目の項目は２００７年２月１０日１３時３５分２０秒に取り込んだ局所放送のフォルダを示し、３番目の項目は２００７年３月２日１７時１５分４０秒に取り込んだ局所放送のフォルダを示している。
【００３９】
ここで、一般放送チャネルリスト２１では１番目の項目にチェックがなされており、チャネルスキャンの結果、放送受信機の現在位置では東京都の一般放送チャネルを受信可能であることを示している。また、局所放送チャネルリスト２２では１番目の項目にチェックがなされており、チャネルスキャンの結果、放送受信機の現在位置では２００７年２月０５日１５時１３分１０秒に取り込んだ局所放送チャネルを受信可能であることを示している。
【００４０】
なお、一般放送チャネルリスト２１は階層構造とされており、一般放送チャネルリスト２１の１番目の項目を選択すると、東京都の一般放送である「ＮＨＫ総合テレビ」、「ＮＨＫ教育テレビ」等の複数のテレビ放送チャネル名をチャネル番号と共に表示する。利用者は表示された複数のテレビ放送チャネル名を見て、所望のチャンネル番号を操作及び入力部１６の例えばテンキーを用いて選択する。
【００４１】
また、局所放送チャネルリスト２２の１番目の項目を選択した場合に、この局所放送チャネル名を表示する。当該日時に複数の局所放送チャネルが登録されている場合には、複数の局所放送チャネル名を表示する。利用者は表示された局所放送チャネル名を見て、所望のチャンネル番号を操作及び入力部１６内の例えばショートカットキー等の特殊キーを用いて選択する。複数の局所放送チャネル名を表示しているときは、例えば特殊キーを１回押すと１番目の局所放送チャネル、２回押すと２番目の局所放送チャネルを選択するようにする。
【００４２】
これにより、制御部１３は放送受信部１１に選択されたテレビ放送チャネル又は局所放送チャネルの同調受信を行わせ、受信したチャネルの画像と音声が表示及び出力部１５にて表示及び出力される。
【００４３】
図５（Ａ），（Ｂ）に、チャネルリスト表示の第２実施形態を示す。この実施形態では、図５（Ａ）に示す一般放送チャネルリスト３１と、図５（Ｂ）に示す局所放送チャネルリスト３２を別画面に分けている。ここでも、一般放送チャネルリスト３１を「チャネルリスト」と表題を付け、局所放送チャネルリスト３２を「ローカルチャネル」と表題を付けている。
【００４４】
図５（Ａ）に示す一般放送チャネルリスト３１の１番目の項目は東京都の一般放送のフォルダを示し、２番目の項目はさいたまの一般放送のフォルダを示し、以下、神奈川、宇都宮、仙台、千葉それぞれの一般放送のフォルダを示している。
【００４５】
図５（Ｂ）に示す局所放送チャネルリスト３２の１番目の項目は２００７年２月０５日１５時１３分１０秒に取り込んだ局所放送のフォルダを示し、２番目の項目は２００７年２月１０日１３時３５分２０秒に取り込んだ局所放送のフォルダを示し、３番目の項目は２００７年３月２日１７時１５分４０秒に取り込んだ局所放送のフォルダを示している。
【００４６】
ここで、一般放送チャネルリスト３１では１番目の項目にチェックがなされており、チャネルスキャンの結果、放送受信機の現在位置では東京都の一般放送チャネルを受信可能であることを示している。また、局所放送チャネルリスト３２では１番目の項目にチェックがなされており、チャネルスキャンの結果、放送受信機の現在位置では２００７年２月０５日１５時１３分１０秒に取り込んだ局所放送チャネルを受信可能であることを示している。
【００４７】
なお、一般放送チャネルリスト３１は階層構造とされており、一般放送チャネルリスト３１の１番目の項目を選択すると、東京都の一般放送である「ＮＨＫ総合テレビ」、「ＮＨＫ教育テレビ」等の複数のテレビ放送チャネル名をチャネル番号と共に表示する。利用者は表示された複数のテレビ放送チャネル名を見て、所望のチャンネル番号を操作及び入力部１６の例えばテンキーを用いて選択する。
【００４８】
また、局所放送チャネルリスト３２の１番目の項目を選択した場合に、この局所放送チャネル名を表示する。当該日時に複数の局所放送チャネルが登録されている場合には、複数の局所放送チャネル名を表示する。利用者は表示された局所放送チャネル名を見て、所望のチャンネル番号を操作及び入力部１６内の例えば特殊キーを用いて選択する。複数の局所放送チャネル名を表示しているときは、例えば特殊キーを１回押すと１番目の局所放送チャネル、２回押すと２番目の局所放送チャネルを選択するようにする。
【００４９】
これにより、制御部１３は放送受信部１１に選択されたテレビ放送チャネル又は局所放送チャネルの同調受信を行わせ、受信したチャネルの画像と音声が表示及び出力部１５にて表示及び出力される。
【００５０】
上記の実施形態によれば、任意の場所で局所放送を受信できる場合に、一般放送と局所放送が分離した状態でチャネルリストとして表示されるため、利用者は一般放送と局所放送を簡単に区別することができる。
【００５１】
なお、上記実施形態では、放送受信手段の一例として放送受信部１１を用い、一般放送チャネル記憶手段の一例としてメモリ部１４の一般放送チャネルリスト領域を用い、位置検出手段の一例として移動機送受信部１２，ＧＰＳ受信部１７を用い、分離表示手段の一例として表示及び出力部１５，ステップＳ５，Ｓ６を用い、局所放送チャネル記憶手段の一例としてメモリ部１４の局所放送チャネルリスト領域を用い、移動機送受信手段の一例として移動機送受信部１２を用い、グローバルポジショニングシステム受信手段の一例としてＧＰＳ受信部１７を用いている。
（付記１）
放送信号を受信する放送受信手段と、
前記放送受信部で地域毎に受信可能な一般放送チャネル情報を予め地域毎に格納した一般放送チャネル記憶手段と、
現在位置を検出する位置検出手段と、
前記放送受信手段でチャネルスキャンを行って受信された受信可能チャネルと、前記一般放送チャネル記憶手段から読み出される前記位置検出手段で検出された現在位置に対応する地域の一般放送チャネル情報とを比較して一致するか否かを判別する一致判別手段と、
前記一般放送チャネル情報と不一致の受信可能チャネルを局所放送チャネルとし、前記一般放送チャネル情報と一致した受信可能チャネルと分離して表示する分離表示手段と、
を有することを特徴とする放送受信機。
（付記２）
付記１記載の放送受信機において、
前記一般放送チャネル情報と不一致の受信可能チャネルの情報を局所放送チャネル情報として記憶する局所放送チャネル記憶手段を
有することを特徴とする放送受信機。
（付記３）
付記１又は２記載の放送受信機において、
前記位置検出手段は、移動通信システムの無線基地局と接続して現在位置情報を取得する移動機送受信手段である
ことを特徴とする放送受信機。
（付記４）
付記１又は２記載の放送受信機において、
前記位置検出手段は、グローバルポジショニングシステム衛星からの信号を受信して現在位置情報を取得するグローバルポジショニングシステム受信手段である
ことを特徴とする放送受信機。
（付記５）
放送信号を受信する放送受信手段で放送信号のチャネルスキャンを行って受信可能チャネルを得、
位置検出手段で現在位置を検出し、
受信可能な一般放送チャネル情報を予め地域毎に格納した一般放送チャネル記憶手段から、前記位置検出手段で検出された現在位置に対応する地域の一般放送チャネル情報を読み出し、
前記チャネルスキャンで得られた前記受信可能チャネルと、読み出された前記一般放送チャネル情報と比較して一致するか否かを判別し、
前記一般放送チャネル情報と不一致の受信可能チャネルを局所放送チャネルとし、前記一般放送チャネル情報と一致した受信可能チャネルと分離して表示する
ことを特徴とするチャネルリスト表示方法。
（付記６）
付記１乃至４のいずれか１項記載の放送受信機において、
前記放送受信手段は、地上デジタルテレビジョン放送を受信する
ことを特徴とする放送受信機。
（付記７）
付記１乃至４のいずれか１項記載の放送受信機において、
前記放送受信手段は、ＦＭ放送を受信する
ことを特徴とする放送受信機。
（付記８）
付記１乃至４のいずれか１項記載の放送受信機において、
前記放送受信手段は、ＡＭ放送を受信する
ことを特徴とする放送受信機。
【図面の簡単な説明】
【００５２】
【図１】従来のチャネルリスト表示の一例を示す図である。
【図２】放送受信機の一実施形態のブロック構成例を示す図である。
【図３】チャネルスキャン処理の一実施形態のフローチャートである。
【図４】チャネルリスト表示の第１実施形態を示す図である。
【図５】チャネルリスト表示の第２実施形態を示す図である。
【符号の説明】
【００５３】
１１  放送受信部
１２  移動機送受信部
１３  制御部
１４  メモリ部
１５  表示及び出力部
１６  操作及び入力部
１７  ＧＰＳ受信部
【図１】
0005256805.tif 000002
【図２】
0005256805.tif 000003
【図３】
0005256805.tif 000004
【図４】
0005256805.tif 000005
【図５】
0005256805.tif 000006